(57)【要約】【課題】出湯ノズルのうち開口径を大きく設定せざるを得ない出湯流路の上流端近傍付近に存在するスカルを通る磁束密度が、出湯流路の下流端近傍に存在するスカルを通る磁束密度よりも小さくなる構成を回避して、所期の出湯処理を適切に行うことが可能な出湯ノズルを提供する。【解決手段】ルツボ２の底部に形成された開口部２２Ａに取り付けられる出湯ノズル部４は、互いに電気的に絶縁された複数のセグメント６を円周方向に並べた状態で配置した集合体であって且つ内部に被溶解金属Ｗの出湯流路４１を有するものであり、各セグメント６の内周面を、テーパ面６ａと、テーパ面６ａの下端から鉛直方向に延伸するストレート面６ｂとによって形成し、各セグメント６のうち出湯ノズル部４の上端部を形成する部分の外周端６ｅに、セグメント開口部６Ａを形成した底部出湯ノズル１にした。【選択図】図２
2017194234.tif 000002
【特許請求の範囲】
【請求項１】
有底筒状のルツボのうち底部に形成された開口部に取り付けられる出湯ノズル部と、前記出湯ノズル部の外周に配置された誘導加熱コイルとを備えた底部出湯ノズルであり、
前記出湯ノズル部は、互いに電気的に絶縁された複数のセグメントを円周方向に並べた状態で配置した集合体であって且つ内部に被溶解金属の出湯流路を有するものであり、
前記各セグメントの内周面は、当該セグメントの上端から下方に向かって前記出湯ノズル部の軸芯に漸次近寄る方向に傾斜させたテーパ面と、前記テーパ面の下端から当該セグメントの下端に亘って鉛直方向に延伸するストレート面とによって形成され、
前記各セグメントのうち、前記出湯ノズル部の上端部を形成する部分の外周端部に、少なくとも円周方向に隣り合う他の前記セグメントに向かって開放されたセグメント開口部を形成していることを特徴とする底部出湯ノズル。
【請求項２】
前記セグメント開口部が、円周方向に隣り合う一方の前記セグメントに対向する面から、円周方向に隣り合う他方のセグメントに対向する面に亘って連続して形成されている請求項１に記載の底部出湯ノズル。
【請求項３】
前記出湯ノズル部は、前記ルツボの底部に形成された開口部に対応する外形状を有する鍔部を上端部に有するものであり、
前記各セグメントのうち前記鍔部を形成する鍔形成部の外周端部に前記セグメント開口部を形成している請求項１又は２に記載の出湯ノズル。
【請求項４】
前記セグメント開口部に磁性体を配置している請求項１乃至３の何れかに記載の底部出湯ノズル。
【請求項５】
有底筒状のルツボと、
前記ルツボの底部に形成された開口部に取り付けた請求項１乃至４の何れかに記載の底部出湯ノズルとを備えていることを特徴とする底部出湯ノズル型溶解炉。
【発明の詳細な説明】
【技術分野】
【０００１】
本発明は、誘導加熱により高融点金属や活性金属を内部で溶解するルツボの底部に取付可能な底部出湯ノズル、及びこのような底部出湯ノズルをルツボの底部に取り付けた底部出湯ノズル型溶解炉に関する。
【背景技術】
【０００２】
従来より、溶解対象物（被溶解金属）が投入されるルツボと、このルツボの底部に設けられてルツボ内の溶湯を出湯する漏斗状の出湯ノズル部とを備えた溶解炉が知られている。出湯ノズル部は、内部に被溶解金属の出湯流路が形成され、ルツボと同様に分割形成されたセグメントを継ぎ合わせた集合体であって、出湯ノズル部の外周に配置された誘導加熱コイル（出湯用誘導加熱コイル）によって出湯ノズル部の内部（出湯流路）に誘導磁場が導入されるように構成されている。
【０００３】
内部に水冷通路が形成された水冷銅ルツボ（コールドクルーシブル）を備えた溶解炉において、ルツボの外周に配置された誘導加熱コイルによって被溶解金属はルツボ内で溶融するが、ルツボ自体は冷却されており、ルツボの内壁面及び出湯ノズル部の内部（出湯流路）にはスカル（被溶解金属の凝固殻）が生じ、溶解処理実行中は出湯ノズル部の閉塞状態が保たれる。このような溶解炉では、出湯用誘導加熱コイルによる出湯ノズル部内の加熱加減を調整して、出湯ノズル部を閉塞状態と開放状態の間で切り替えるように構成されている。具体的には、出湯用誘導加熱コイルに交流電力を供給することでルツボの底部周辺及び出湯ノズル内のスカルに交番磁場を浸透させて誘導加熱し、ルツボの底部周辺及び出湯ノズル内のスカルを誘導加熱して、スカル自体の厚みを薄くすることにより出湯ノズル部から出湯できるように構成されている。（例えば下記特許文献１）。
【先行技術文献】
【特許文献】
【０００４】
【特許文献１】特開２００１−２０１２６７号公報
【発明の概要】
【発明が解決しようとする課題】
【０００５】
ところで、出湯ノズル部の内部に形成されている出湯流路は、上流端である導入口から下方に向かって開口径を減少する逆円錐状の上流側壁面と、上流側壁面の下端から下流端である流出口まで同じ開口径に設定された円柱状の下流側壁面から構成されている。
【０００６】
このような出湯流路が内部に形成されている出湯ノズル部の外周に出湯用誘導加熱コイルを配置した構造において、出湯流路の開口径の大きさによって出湯流路内のスカルを通る磁束密度に差が生じ、出湯流路の開口径が大きいほど当該部分における磁束密度が小さくなる。したがって、開口径を大きく設定せざるを得ない出湯流路の上流端近傍における磁束密度は、出湯流路の下流端近傍における磁束密度よりも小さくなり、出湯流路の上流端近傍付近における加熱が弱く、当該部分のスカルが溶け残ったり、スカルを加熱溶融させてから出湯開始までの時間が掛かるという問題があった。
【０００７】
そこで、出湯流路の上流端近傍付近のスカルを溶融できる加熱を実現すべく、誘導加熱コイルに供給する電力を増大した場合、出湯流路の下流端近傍付近のスカルが、より一層加熱されることにより、当該部分のスカルだけが先に融液となって落下し、加熱対象物が消失する事態が生じ、所期の出湯処理を適切に行うことでできない事態に陥る。
【０００８】
本発明は、このような点に着目してなされたものであって、主たる目的は、出湯ノズル部のうち開口径を大きく設定せざるを得ない出湯流路の上流端近傍付近における磁束密度が、出湯流路の下流端近傍における磁束密度よりも大幅に小さくなる構成を回避して、所期の出湯処理を適切に行うことが可能な底部出湯ノズル、及びそのような底部出湯ノズルをルツボの底部に取り付けた底部出湯ノズル型溶解炉を提供することにある。
【課題を解決するための手段】
【０００９】
すなわち本発明は、有底筒状のルツボのうち底部に形成された開口部に取り付けられる出湯ノズル部と、出湯ノズル部の外周に配置された誘導加熱コイルとを備えた底部出湯ノズルに関するものである。そして、本発明に係る底部出湯ノズルは、互いに電気的に絶縁された複数のセグメントを円周方向に並べた状態で配置した集合体である出湯ノズル部を備え、出湯ノズルの内部に被溶解金属の出湯流路が形成された構成において、各セグメントの内周面を、当該セグメントの上端から下方に向かって出湯ノズル部の軸芯に漸次近寄る方向に傾斜させたテーパ面と、テーパ面の下端から当該セグメントの下端に亘って鉛直方向に延伸するストレート面とによって形成し、各セグメントのうち、出湯ノズル部の上端部を形成する部分の外周端部に、少なくとも円周方向に隣り合う他のセグメントに向かって開放されたセグメント開口部を形成していることを特徴としている。ここで、本発明における出湯流路の形状は、各セグメントの内周面によって規定されるものである。したがって、セグメントを円周方向に並べた状態において、各セグメントのテーパ面とストレート面によって形成される出湯流路は、上流端である導入口から下方に向かって開口径が漸次減少する逆円錐状の上流側壁面と、上流側壁面の下端から下流端である流出口に亘って同一の開口径に設定された円柱状の下流側壁面とを有する流路になる。
【００１０】
そして、本発明に係る底部出湯ノズルであれば、セグメントの上端部に、少なくとも円周方向に隣り合う他のセグメントに向かって開放されたセグメント開口部が形成されていない構成と比較して、誘導加熱コイルに供給する電力を増大させるといった特別な電力制御や複雑な構造を必須とすることなく、各セグメントのうち出湯流路の上流端に近い部分においてセグメント開口部に磁束を導くことで磁束密度を増大させることができ、出湯流路の上流端近傍付近で被溶解金属が凝固することによって生じるスカルが溶け残る事態を防止・抑制することが可能であり、誘導加熱コイルに対する電力供給開始時点から出湯開始までの時間の短縮化を図ることもでき、適切な出湯処理を実施することができる。
【００１１】
本発明において、各セグメントのうち出湯流路の上流端に近い部分における磁束密度の増大化を図ることが可能な構成として、セグメント開口部が、円周方向に隣り合う一方のセグメントに対向する面から、円周方向に隣り合う他方のセグメントに対向する面に亘って連続して形成されている構成（セグメントの全周に亘ってセグメント開口部が形成されている構成）や、セグメント開口部に磁性体を配置している構成を挙げることができる。
【００１２】
出湯ノズル部の外周において誘導加熱コイルを配置することが設計上または構造上不可能である場合、当然のことながら出湯ノズル部のうち誘導加熱コイルが配置されない部分の磁束密度は小さくなる傾向になる。このような事態に対処すべく、本発明では、各セグメントのうち出湯ノズル部の上端部を形成する部分の外周端部であって且つ誘導加熱コイルの最外周端よりも外側の所定領域にセグメント開口部を形成した構成を採用することができる。このような構成によれば、出湯ノズル部を構成するセグメントのうち誘導加熱コイルによる加熱が設計上相対的に弱くなってしまう部分における磁束密度を増大させることができ、当該部分において被溶解金属（スカル）の溶け残りが発生する事態を防止・抑制することが可能であり、適切な出湯処理を行うことができる。
【００１３】
特に、出湯ノズル部が、ルツボの底部に形成された開口部に対応する外形状を有する鍔部を上端部に有するものである場合、ルツボの開口部に、出湯ノズル部の上端部に設けた鍔部を嵌合した状態で当該出湯ノズル部をルツボの底部に取り付けることが可能である。このような構成において、鍔部の外周に誘導加熱コイルを配置することは物理的に不可能である。そこで、各セグメントのうち鍔部を形成する鍔形成部の外周端部にセグメント開口部を形成することによって、各セグメントのうち外周に誘導加熱コイルを配置することができない部分における磁束密度を増大させることができる。
【００１４】
また、本発明に係る底部出湯ノズル型溶解炉は、有底筒状のルツボと、ルツボの底部に形成された開口部に取り付けた上述の底部出湯ノズルとを備えていることを特徴としている。このような本発明に係る底部出湯ノズル型溶解炉によれば、底部出湯ノズルに関する上述の構成による作用効果を得ることができ、適切な出湯処理を行うことが可能である。
【発明の効果】
【００１５】
このように、本発明では、セグメントの上端部に、少なくとも円周方向に隣り合う他のセグメントに向かって開放されたセグメント開口部を形成した構成を採用したことによって、出湯ノズル部の上部外周付近の磁束密度を増大することができ、開口径を大きく設定せざるを得ない出湯流路の上流端近傍付近に存在する被溶解金属を通る磁束密度が、出湯流路の下流端近傍に存在する被溶解金属を通る磁束密度よりも大幅に小さくなる構成を回避して、所期の出湯処理を適切に行うことが可能な底部出湯ノズル、及びそのような底部出湯ノズルをルツボの底部に取り付けた底部出湯ノズル型溶解炉を提供することができる。
【図面の簡単な説明】
【００１６】
【図１】本発明の一実施形態に係る底部出湯ノズルを備えた溶解炉の模式的な部分断面図。
【図２】同実施形態に係る溶解炉の要部拡大模式図。
【図３】同実施形態におけるノズルセグメント単体を外周端側から見た全体図。
【図４】同実施形態における底部出湯ノズルの一変形例を図３に対応させて示す図。
【図５】同実施形態における底部出湯ノズルの異なる一変形例を図３に対応させて示す図。
【図６】同実施形態における底部出湯ノズルのさらに異なる一変形例を図５に対応させて示す図。
【発明を実施するための形態】
【００１７】
以下、本発明の一実施形態を、図面を参照して説明する。
【００１８】
本実施形態に係る底部出湯ノズル１は、図１に示すように、被溶解金属Ｗ（溶解対象物）を収容する炉本体であるルツボ２の底部に設けられるものである。また、本実施形態に係る誘導加熱溶解炉Ｘは、少なくとも底部出湯ノズル１及びルツボ２を備えた底部出湯ノズル型溶解炉である。
【００１９】
ルツボ２は、円筒形状の側面壁２１と、側面壁２１に連続する平板状の底面壁２２とによって規定される内部空間に、チタン等の被溶解金属Ｗを収容することが可能なものである。これらの側面壁２１及び底面壁２２は、互いに電気的に絶縁された縦割り状をなす導電性のセグメント２３を円周方向に継ぎ合わせることにより形成されている。なお、円周方向に隣り合うセグメント２３同士の絶縁状態は、セグメント２３同士の間に絶縁部材を介装したり、セグメント２３同士を離隔することで確保することができる。セグメント２３同士の間に配置する絶縁部材としては、アルミナ、ジルコニア、イットリア等のセラミック耐火材を挙げることができる。なお、図１では、セグメント２３同士の隙間であるスリット（絶縁部材を含む）を省略している。このような構成により、ルツボ２を構成するセグメント２３同士を電気的に絶縁し、ルツボ２の周囲に配置した誘導加熱コイル３で発生した磁束をルツボ２内に効率良く導入することができる。
【００２０】
各セグメント２３は、内部に図示しない水冷通路を備えており、この水冷通路に水などの冷却媒体を流通させることによってルツボ２を冷却するように構成されている。各セグメント２３は、電気伝導率及び熱伝導率に優れ、熱衝撃に強く、必要な機械的強度を有するとともに、水冷通路に冷却媒体を流通させることによってスカルＷａ（図１参照）を形成するために必要な高熱伝導率を有する材料、例えば、銅、または、クロム銅、ベリリウム銅、ジルコニウム銅、クロムジルコニウム銅、テルル銅等の金属材料により形成されたものである。特に、銅系材料であれば、ルツボ２を真空槽の内部に設置して真空雰囲気中、または減圧雰囲気中で被溶解金属Ｗの溶解を行う場合に酸化物を形成しないため、酸化金属等の耐火物と比較して有利である。また、被溶解金属Ｗとしては、チタンの他、ジルコニウム、ハフニウム、クロム、ニオブ、タンタル、モリブデン、ウラン、希土類金属、トリウム、或いはこれらの合金から選ばれる金属からなる反応性金属を挙げることができる。
【００２１】
ルツボ２の底面壁２２に設けられている底部出湯ノズル１は、図１及び図２に示すように、ルツボ２の底面壁２２に形成された開口部２２Ａに取り付けられる出湯ノズル部４と、出湯ノズル部４の外周に配置された出湯用誘導加熱コイル５（本発明の「誘導加熱コイル」に相当）とを備えたものである。
【００２２】
出湯ノズル部４は、ルツボ２の内部空間に連通する出湯流路４１を内部空間に有するものである。出湯流路４１は、中空状の流路であり、図２に示すように、上流端である導入口４２から下方に向かって開口径が漸次減少する逆円錐状（中空逆円錐状）の上流側壁面４３と、上流側壁面４３の下端から下流端である流出口４４に向かって開口径が同一である円柱状（中空円筒状）の下流側壁面４５とによって仕切られる流路である。このような出湯流路４１を内部に有する漏斗状の出湯ノズル部４は、内周面に出湯流路４１の上流側壁面４３を有する中空逆円錐状の導入口側領域４６と、内周面に出湯流路４１の下流側壁面４５を有する中空円筒状の流出口側領域４７とに区別することができる。そして、本実施形態に係る底部出湯ノズル１は、導入口側領域４６の上端部に、底面壁２２の開口部２２Ａに対応する外形状を有する鍔部４８を設けている。
【００２３】
ここで、本実施形態においてルツボ２の底面壁２２に形成された開口部２２Ａは、図１に示すように、底面壁２２の外周端と中心点との間の所定位置において、最上位位置から最下位置までの範囲に亘って円柱状の壁面を有するように形成された円形の貫通孔（丸孔）である。したがって、鍔部４８の外形状（外壁面の形状）は、この開口部２２Ａに対応する形状、つまり円柱状である。
【００２４】
また、本実施形態では、鍔部４８の高さ寸法を開口部２２Ａの高さ寸法とほぼ一致させる一方で、鍔部４８の外径（直径）を開口部２２Ａの開口径よりも僅かに小さい値に設定し、鍔部４８を開口部２２Ａ内に収めた状態（嵌合状態）において、鍔部４８の外壁面４８１と開口部２２Ａの壁面の間に所定の隙間が形成されるように設定している（図２参照）。本実施形態では、この隙間を適宜の絶縁材によって密閉している。なお、鍔部４８の下向き面に、鍔部４８の外壁面４８１よりも外方に向かって突出する突出部４９を設け、突出部４９をルツボ２の下向き面に下方から押し当てた状態で出湯ノズル部４をルツボ２の開口部２２Ａに取り付けて固定している（図２参照）。本実施形態では、突出部４９を円周方向に所定ピッチで複数設けている。なお、突出部４９として、鍔部４８と同様に出湯流路４１を周回するリング状に設定することもできる。また、突出部４９は、鍔部４８に一体に形成されたものであってもよいし、鍔部４８とは別体のものであってもよい。
【００２５】
出湯ノズル部４は、互いに電気的に絶縁された複数のノズルセグメント６（本発明の「セグメント」に相当）を円周方向に並べた状態で配置した集合体である。つまり、出湯ノズル部４は、ルツボ２と同様に、縦割り状をなす複数の導電性のノズルセグメント６を円周方向に相互に電気的に絶縁して継ぎ合わせることにより形成されている。なお、円周方向に隣り合うノズルセグメント６同士の絶縁状態は、ノズルセグメント６同士の隙間であるスリット６Ｓ（図２参照）に絶縁部材を介装したり、ノズルセグメント６同士をスリット６Ｓを介して離隔することで確保することができる。各ノズルセグメント６は、出湯ノズル部４の導入口側領域４６及び流出口側領域４７の一部（導入口側領域４６全体のうち円周方向における所定領域、及び流出口側領域４７全体のうち円周方向における所定領域）を構成するように形成されている。そして、各ノズルセグメント６の内周面によって、出湯流路４１の形状が規定される。具体的に、本実施形態では、各ノズルセグメント６の内周面を、当該ノズルセグメント６の上端から下方に向かって出湯ノズル部４の軸芯４Ｃ（図２参照）に漸次近寄る方向に傾斜させたテーパ面６ａと、テーパ面６ａの下端から当該ノズルセグメント６の下端に亘って鉛直方向（軸芯方向）に延伸するストレート面６ｂとによって形成している。したがって、テーパ面６ａを出湯ノズル部４の軸芯４Ｃ周りに複数並べることで、出湯流路４１のうち、上流端である導入口４２から下方に向かって開口径が漸次減少する逆円錐状（中空逆円錐状）の上流側壁面４３が形成され、ストレート面６ｂを出湯ノズル部４の軸芯４Ｃ周りに複数並べることで、上流側壁面４３の下端から下流端である流出口４４に向かって開口径が同一である円柱状（中空円筒状）の下流側壁面４５が形成される。
【００２６】
また、各ノズルセグメント６は、内部に図示しない水冷通路を備えており、この水冷通路に水などの冷却媒体を流通させることによって出湯ノズル部４を冷却するように構成されている。出湯ノズル部４を構成するノズルセグメント６は、ルツボ２を構成するセグメント２３と同様に、電気伝導率及び熱伝導率に優れ、熱衝撃に強く、必要な機械的強度を有するとともに、水冷通路に冷却媒体を流通させることによってスカルＷａ（図１参照）を形成するために必要な高熱伝導率を有する材料、例えば、銅、または、クロム銅、ベリリウム銅、ジルコニウム銅、クロムジルコニウム銅、テルル銅等の金属材料により形成されたものである。
【００２７】
本実施形態に係る誘導加熱溶解炉Ｘは、ルツボ２のうち側面壁２１の外周に誘導加熱コイル３を設け、この誘導加熱コイル３に溶解用電源３１を接続しているとともに、出湯ノズル部４の外周に、当該出湯ノズル部４の外壁面に沿って出湯用誘導加熱コイル５を配置し、出湯用誘導加熱コイル５に、出湯を制御するための交流電力を出力する出湯用電源５１を接続している。
【００２８】
そして、本実施形態に係る底部出湯ノズル１は、出湯ノズル部４を構成するノズルセグメント６として、図２及び図３に示すように、ノズルセグメント６のうち出湯ノズル部４の鍔部４８を形成する鍔形成部６１に、円周方向に隣り合う他のノズルセグメント６に向かって開放されたセグメント開口部６Ａを有するものを適用している。具体的には、鍔形成部６１のうち外周端６ｅから外周端６ｅ近傍部分に亘ってセグメント開口部６Ａを形成している。各ノズルセグメント６は、円周方向において他のノズルセグメント６に挟まれた状態にある。ここで、各ノズルセグメント６のうち、隣り合う一方のセグメント２３に対向する面を第１セグメント対向面６２とし、隣り合う他方のノズルセグメント６に対向する面を第２セグメント対向面６３とすると、本実施形態のセグメント開口部６Ａは、第１セグメント対向面６２から第２セグメント対向面６３に亘って連続して形成されたものである。また、本実施形態のセグメント開口部６Ａは、下方及び外方（径方向外側）にもそれぞれ開放されている。
【００２９】
本実施形態では、セグメント開口部６Ａに磁性体６４を配置しており、具体的にはセグメント開口部６Ａを磁性体６４によって閉塞している。磁性体６４は、例えばフェライト等の透磁率が高い材料から形成されたもの（強磁性体）であり、接着等の適宜の手段によってセグメント開口部６Ａに固定されている。磁性体６４は、セグメント開口部６Ａの形状に応じた外形状を有する中実のものである。本実施形態では、セグメント開口部６Ａと磁性体６４の間に隙間が形成されないように設定している。なお、フェライト以外のもの、例えば電磁鋼板によって形成した磁性体を適用することも可能である。
【００３０】
このような構成を有する底部出湯ノズル１をルツボ２の底部に設けた底部出湯ノズル型溶解炉Ｘによって、ルツボ２内の被溶解金属Ｗを溶解する場合には、ルツボ２の外周側に配置した誘導加熱コイル３に溶解用電源３１から交流電力を供給することによって、誘導加熱コイル３の周囲に交番磁場が生成され、その磁束がルツボ２のスリットを通過してルツボ２の内側に侵入することによって、被溶解金属Ｗに浸透し、被溶解金属Ｗを誘導加熱することができる。これにより、被溶解金属Ｗは、図１に示すように、溶融温度に昇温した表面側から溶解して溶湯Ｗｂとなり、ルツボ２の底面壁２２に向かって流れ落ちる。そして、ルツボ２の底面壁２２に到達した溶湯Ｗｂは、冷却手段によって適切な冷却状態に維持されているルツボ２により冷却されて凝固し、皿状に冷却固化したスカルＷａを形成する。
【００３１】
ここで、スカルＷａが所定以上の厚みとなって冷却手段（水冷通路）によるルツボ２の冷却能力よりも誘導加熱による加熱能力が上回ると、スカルＷａ上に溶湯Ｗｂが滞留していくことになる。そして、滞留する溶湯Ｗｂの量が増加すると、溶湯Ｗｂが交番磁場と誘導電流との相互作用および重力の作用を受けることによって、周辺部から中央部にかけて盛り上がったドーム形状の外形を呈しながら撹拌されることになる。このような事象により、被溶解金属Ｗは、図１に示すように、ルツボ２内において、ルツボ２の底面や内周面に沿って深皿状に形成されたスカルＷａと、その上に滞留した状態の溶湯Ｗｂとに分離した状態になり、所定のタイミングで底部出湯ノズル１を利用して溶湯Ｗｂをルツボ２から取り出すことができる。
【００３２】
具体的には、ルツボ２内部で溶解された溶湯Ｗｂが、所定の溶融状態に達した時点で、出湯用電源５１から高周波電力を出湯用誘導加熱コイル５に適宜供給すると、この高周波電力により出湯用誘導加熱コイル５周囲に交番磁場が生成され、この交番磁場は、出湯ノズル部４の出湯流路４１内のスカルＷａによる薄い凝固層（浸透深さ）に渦電流を流す。これにより、この薄い凝固層での電流密度が高いため、出湯流路４１の壁面（逆円錐状の上流側壁面４３、円柱状の下流側壁面４５）に凝固している被溶解金属Ｗ（スカルＷａ）が表面から加熱され、凝固層が薄くなることにより出湯が可能な状態となる。
【００３３】
ところで、従来の底部出湯ノズルであれば、出湯流路の上流端近傍付近における加熱が弱く、当該部分のスカルが溶け残ったり、スカルを加熱溶融させて出湯開始までの時間が掛かるという問題があった。これは、出湯流路が内部に形成されている出湯ノズル部の外周に出湯用誘導加熱コイルを配置した構造において、出湯流路のうち開口径が大きい上流端に近いほど当該部分における磁束密度が、出湯流路の下流端近傍の磁束密度よりも小さくなっていることが主な原因である。
【００３４】
本実施形態に係る底部出湯ノズル１では、このような問題点を解決すべく、出湯ノズル部４を構成する各ノズルセグメント６のうち出湯ノズル部４の出湯流路４１の上流端近傍部分を形成する部分、つまり各ノズルセグメント６の上端部に、第１セグメント対向面６２及び第２セグメント対向面６３に向かって開放されたセグメント開口部６Ａを形成した構成を採用している。これにより、ノズルセグメント６の上端部に第１セグメント対向面６２及び第２セグメント対向面６３に向かって開放されたセグメント開口部６Ａが形成されていない構成と比較して、セグメント開口部６Ａに磁束を導くことができる分だけ各ノズルセグメント６のうち出湯流路４１の上流端に近い部分における磁束密度を増大させることができ、出湯用誘導加熱コイル５に供給する電力を増大させることなく、出湯流路４１の上流端近傍付近でスカルＷａが溶け残る事態を防止・抑制することが可能であり、出湯用誘導加熱コイル５に対する電力供給開始時点から出湯開始までの時間の短縮化を図ることもでき、適切な出湯処理を実施することができる。
【００３５】
特に、出湯部ノズル部４が、ルツボ１の底部に形成された開口部２２Ａに、出湯ノズル部４の上端部に設けた鍔部４８を嵌合した状態でルツボ１の底部に取り付けられるものである場合、鍔部４８の外周に出湯用誘導加熱コイル５を配置することは物理的に不可能である。その結果、各ノズルセグメント６のうち、鍔部４８の外壁面４８１に近い部分に相当する部分における磁束密度は小さくなる傾向になる。しかしながら、本実施形態に係る底部出湯ノズル１では、各ノズルセグメント６のうち、鍔出湯ノズル部４の鍔部４８を形成する鍔形成部６１の外周端６ｅにセグメント開口部６Ａを形成しているため、各ノズルセグメント６のうち外周に出湯用誘導加熱コイル５を配置することが物理的に不可能な部分における磁束密度を増大させることができ、出湯流路４１の上流端近傍付近でスカルＷａが溶け残る事態を防止・抑制することが可能である。
【００３６】
加えて、本実施形態に係る底部出湯ノズル１では、各ノズルセグメント６のうち鍔形成部６１の外周端６ｅを含む所定領域であって且つ出湯用誘導加熱コイル５の最外周端よりも外側の所定領域にセグメント開口部６Ａを形成しているため、ノズルセグメント６のうち出湯用誘導加熱コイル５による加熱が設計上相対的に弱くなってしまう部分における磁束密度を増大させることが可能であり、当該部分においてスカルＷａが溶け残る事態を防止・抑制することができ、適切な出湯処理を行うことができる。
【００３７】
さらに、本実施形態に係る底部出湯ノズル１では、第１セグメント対向面６２から第２セグメント対向面６３に亘って連続して開放されたセグメント開口部６Ａを適用しているため、各ノズルセグメント６の鍔形成部６１の外周端部全域に、セグメント開口部６Ａを形成した構成になり、第１セグメント対向面６２から第２セグメント対向面６３に亘って連続して開放されていないセグメント開口部６Ａを適用した構成（セグメント開口部６Ａを鍔形成部６１の外周端部全域に形成されていない構成）と比較して、各ノズルセグメント６のうち出湯流路４１の上流端近傍部分における磁束密度のさらなる増大化を図ることができる。
【００３８】
加えて、本実施形態に係る底部出湯ノズル１では、透磁率の高い磁性体６４をセグメント開口部６Ａに配置し、具体的には磁性体６４によって開口部６Ａを閉塞しているため、出湯用誘導加熱コイル５の周囲に生成され交番磁場の磁束が、磁気抵抗が小さい磁性体６４を通ることになり、磁性体６４に磁束を集めることにより、各ノズルセグメント６のうち出湯流路４１の上流端近傍部分における磁束密度をより一層増大化させることができる。
【００３９】
なお、本発明は上述した実施形態に限定されるものではない。例えば、上述の実施形態では、第１セグメント対向面６２から第２セグメント対向面６３に亘って連続して開放されたセグメント開口部６Ａを適用した態様を例示したが、図４に示すように、各ノズルセグメント６の鍔形成部６１に、第１セグメント対向面６２、第２セグメント対向面６３にそれぞれ個別にセグメント開口部６Ａ（相互に連通していないセグメント開口部）を形成し、各セグメント開口部６Ａを磁性体６４によって閉塞した構成を採用することもできる。
【００４０】
また、図５及び図６に示すように、セグメント開口部６Ａを磁性体６４によって閉塞せずに開放させた状態にしておく構成を採用しても構わない。なお、図５は、上述の実施形態に示すノズルセグメント６のセグメント開口部６Ａを磁性体６４で閉塞せずに開放させた構成を示す図であり、図６は、図４に示すノズルセグメント６のセグメント開口部６Ａを磁性体６４で閉塞せずに開放させた構成を示す図である。
【００４１】
また、各ノズルセグメントにおける第１セグメント対向面、第２セグメント対向面の何れか一方の面にのみ開放されたセグメント開口部を有するノズルセグメントであってもよい。
【００４２】
さらにまた、ノズルセグメントの上端部における外周端よりも所定距離内方に寄った部分である外周端近傍にセグメント開口部を形成した構成を採用することも可能である。この場合、セグメント開口部は、外方に向かって開放されていない開口部となり、ノズルセグメントの上端部における外周端部（外周端近傍部分）に形成されたものである。
【００４３】
本発明では、ノズルセグメントの上端部における外周端部（外周端近傍部分）に、３以上のセグメント開口部を円周方向に沿って間欠的に形成した構成を適用することもできる。
【００４４】
本発明において、セグメント開口部の形状や数は適宜選択・変更することができ、セグメント開口部の形状に応じた磁性体を用いることで、セグメント開口部を適切に閉塞することが可能である。もちろん、セグメント開口部を磁性体で閉塞することなくセグメント外に開放された開口部にしてもよい。
【００４５】
出湯ノズル部をルツボの底部に取り付けた状態において、出湯ノズルの上端部における外周端（外壁面）と、ルツボの底部に形成されている開口部が隙間無く接触して短絡するように構成することも可能である。
【００４６】
また、本発明に係る底部出湯ノズルは、コールドクルーシブル溶解炉以外にも、耐火物溶解炉、プラズマ溶解炉、電子ビーム溶解炉、アーク溶解炉、抵抗加熱溶解炉、太陽光溶解炉等、種々の溶解炉に適用することができる。
【００４７】
その他、各部の具体的構成についても上記実施形態に限られるものではなく、本発明の趣旨を逸脱しない範囲で種々変形が可能である。
【符号の説明】
【００４８】
１…底部出湯ノズル
２…ルツボ
２２Ａ…開口部
４…出湯ノズル部
４１…出湯流路
４８…鍔部
４Ｃ…出湯ノズル部の軸芯
５…誘導加熱コイル（出湯用誘導加熱コイル）
６…セグメント（ノズルセグメント）
６ａ…テーパ面
６ｂ…ストレート面
６１…鍔形成部
６４…磁性体
６Ａ…セグメント開口部
Ｘ…底部出湯ノズル型溶解炉
Ｗ…被溶解金属
【図１】
2017194234.tif 000003
【図２】
2017194234.tif 000004
【図３】
2017194234.tif 000005
【図４】
2017194234.tif 000006
【図５】
2017194234.tif 000007
【図６】
2017194234.tif 000008